(57)【要約】【課題】水力機械のランナの建設コストを抑え、ホワールによる水圧脈動、騒音、振動等の発生を抑制する。【解決手段】ランナクラウン２０の開口２６に沿ってランナクラウンの下面に環状のランナコーン５が設けられており、ランナコーンの底面の半径をＲｃとし、クラウンの下面での羽根２４の最も内側の端部の回転軸２８との距離をＲａとするときに、  ０．６≦Ｒｃ／Ｒａ＜１  の条件を満たす。さらに、ランナクラウンの開口内で回転軸に沿って下方に延びる円柱状突起物１０が設けられており、突起物の下端はランナコーンの底面よりも上方にあって、突起物の半径をＲｂとし、ランナコーンの底面の半径をＲｃとするときに、  ０．２５≦Ｒｂ／Ｒｃ＜０．７５  の条件を満たす。【選択図】図２
2006029227.tif 000002
【特許請求の範囲】
【請求項１】
鉛直の回転軸周りに放射状の羽根を円周方向に複数枚配列し、前記羽根の上方をランナクラウンで覆い、前記羽根の下方にランナバンドを配置した水力機械のランナにおいて、
前記ランナクラウンの下面は中央に向かって次第に下がっていて、その中央部に開口が設けられ、この開口に沿って前記ランナクラウンの下面に環状のランナコーンが設けられており、前記ランナコーンの底面の半径をＲｃとし、前記クラウンの下面での前記羽根の最も内側の端部の前記回転軸との距離をＲａとするときに、
０．６≦Ｒｃ／Ｒａ＜１
の条件を満たすこと、を特徴とする水力機械のランナ。
【請求項２】
鉛直の回転軸周りに放射状の羽根を円周方向に複数枚配列し、前記羽根の上方をランナクラウンで覆い、前記羽根の下方にランナバンドを配置した水力機械のランナにおいて、
前記ランナクラウンの下面は中央に向かって次第に下がっていて、その中央部に開口が設けられ、この開口に沿って前記ランナクラウンの下面に環状のランナコーンが設けられ、前記開口内で前記回転軸に沿って下方に延びる円柱状突起物が設けられており、前記突起物の下端はランナコーンの底面よりも上方にあって、前記突起物の半径をＲｂとし、前記ランナコーンの底面の半径をＲｃとするときに、
０．２５≦Ｒｂ／Ｒｃ＜０．７５
の条件を満たすこと、を特徴とする水力機械のランナ。
【請求項３】
鉛直の回転軸周りに放射状の羽根を円周方向に複数枚配列し、前記羽根の上方をランナクラウンで覆い、前記羽根の下方にランナバンドを配置した水力機械のランナにおいて、
前記ランナクラウンの下面は中央に向かって次第に下がっていて、その中央部に開口が設けられ、この開口に沿って前記ランナクラウンの下面に環状のランナコーンが設けられ、前記開口内で前記回転軸に沿って下方に延びる円柱状突起物が設けられており、この円柱状突起物の下端が前記ランナコーンの底面より下方に突出していること、を特徴とする水力機械のランナ。
【請求項４】
請求項２または３に記載の水力機械のランナにおいて、前記円柱状突起物は下方ほど細くなるような少なくとも一つの段部を有すること、を特徴とする水力機械のランナ。
【請求項５】
請求項２または３に記載の水力機械のランナにおいて、前記円柱状突起物の下端面に窪みが形成されていること、を特徴とする水力機械のランナ。
【請求項６】
鉛直の回転軸周りに放射状の羽根を円周方向に複数枚配列し、前記羽根の上方をランナクラウンで覆い、前記羽根の下方にランナバンドを配置した水力機械のランナにおいて、
前記ランナクラウンの下面は中央に向かって次第に下がっていて、その中央部に開口が設けられ、この開口に沿って前記ランナクラウンの下面に環状のランナコーンが設けられ、前記開口内で前記回転軸と水平方向にずれた位置で下方に延びる突起物が設けられていること、を特徴とする水力機械のランナ。
【請求項７】
請求項１〜請求項６に記載のランナを有することを特徴とする水力機械。
【発明の詳細な説明】
【技術分野】
【０００１】
本発明は、水力機械およびそのランナに係り、特に吸出し管の水圧脈動低減を図った水車またはポンプ水車などの水力機械とそのランナに関する。
【背景技術】
【０００２】
一般に水車またはポンプ水車の部分負荷運転時には、ランナ出口の流れが大きな旋回速度成分を有し、その旋回流により吸出し管中心部に大気圧より低い圧力を持つホワールと呼ばれる渦状の空洞が発生する。このホワールは吸出し管内の中心軸を渦芯として竜巻のように激しく揺れ動き、吸出し管の水圧脈動を増大させ、またこのホワールが管内壁に衝突し崩壊するときに発生する異常音、振動等は水力機械の安定な運転を阻害する要因となる。
【０００３】
図１１は特許文献１に示される一般的なフランシス型ポンプ水車の立断面図である。水車運転時には水はケーシング１からステーベーン２およびガイドベーン３を通ってランナ４に流れ込み、その水流によってランナ４が回転駆動され、主軸６を介して発電機７が駆動される。一方、ランナ４を駆動した水は吸出し管８を経て放水路へと流出する。水車運転時にはガイドベーン３の開度を変化させることにより、ランナ４に流入する水量を調整し、発電量を変化させる。また、ガイドベーン３の開度が同じであっても、落差が変化することにより発電量も変化する。
【０００４】
このように、水車の運転状態は様々に変化し、それに伴い、ランナ４から流出する水も様々な挙動を示す。特にランナ４から流出する水流のランナ回転方向速度成分は、水車最高効率点を境に低落差側および部分負荷領域ではランナ４と同一方向に、また高落差側および過負荷領域では逆回転方向の速度成分を有する。また、この旋回流はランナ４の内径側から外径側まで均一ではないため、吸出し管８内にアンバランスな流れを引き起こすことになり、ランナコーン５の近傍にホワール９が発生する。
【０００５】
図１２に従来のランナ４の詳細を示す。ランナ４の上部はほぼ円板状のランナクラウン２０で覆われており、その下方に放射状の羽根２４が複数枚円周方向に配列されている。羽根２４の下外側はランナバンド２２で覆われている。ランナクラウン２０の下面は中央に向かって次第に下がっていて、その中央部に開口２６が設けられている。開口２６を設ける理由は、スラスト力を低減するためや排気をするためのものである。
【０００６】
さらに、この開口２６に沿って、ランナクラウン２０の下面に環状のランナコーン５が取り付けられている。ランナコーン５は、水車運転の場合に流路の急拡大による損失を低減するためのものである。
【０００７】
図１２（ａ）は、ホワール９がランナコーン５の外面の途中からほぼ円筒状に下方に延びていてこれが回転する場合を示している。また、図１２（ｂ）は、ホワール９がランナコーン５の下端から下方に延びていてこれが水平方向に往復運動をする場合を示している。このようにホワール９の挙動は、水車の運転条件によって大きく変化し、この挙動により吸出し管８（図１１）内の圧力変化が生じる。このホワール９の振れ回りが大きくなると、水圧脈動が大きくなり、吸出し管８または建屋全体に振動、騒音をもたらし、発電所の運転に支障をきたす場合もある。
【特許文献１】特開平５−２３１２９５号公報
【発明の開示】
【発明が解決しようとする課題】
【０００８】
このようなことから、吸出し管８内に発生するホワール９による水圧脈動を低減する手段として、吸出し管内に空気を注入し、ホワールを安定させる方法、または、吸出し管内壁に旋回防止部材のフィンを取り付けホワールを抑制する方法等が提案されている。しかしながら、前者の場合は吸出し管内圧力より高い圧力を持った空気を供給しなくてはならず、吸出し高さが大きくなると吸出し管上部の圧力が高くなり、自然吸気の圧力では空気を供給することが不可能となるので、強制吸気用の専用コンプレッサを用いて吸出し管内に吸気を行なう必要があり、建設コストの面から問題がある。一方、後者の場合には、吸出し管内への落下防止を考慮した取り付け方法等が問題となる。
【０００９】
本発明はこのような点に鑑み、建設コストを抑え、ホワールによる水圧脈動、騒音、振動等の発生を抑制しうるようにした水力機械およびそのランナを得ることを目的とする。
【課題を解決するための手段】
【００１０】
本発明は上記目的を達成するものであって、請求項１に記載の発明は、鉛直の回転軸周りに放射状の羽根を円周方向に複数枚配列し、前記羽根の上方をランナクラウンで覆い、前記羽根の下方にランナバンドを配置した水力機械のランナにおいて、前記ランナクラウンの下面は中央に向かって次第に下がっていて、その中央部に開口が設けられ、この開口に沿って前記ランナクラウンの下面に環状のランナコーンが設けられており、前記ランナコーンの底面の半径をＲｃとし、前記クラウンの下面での前記羽根の最も内側の端部の前記回転軸との距離をＲａとするときに、  ０．６≦Ｒｃ／Ｒａ＜１  の条件を満たすこと、を特徴とする。
【００１１】
請求項１記載の発明によれば、ランナコーンの底面が充分に大きいので、部分負荷運転特にホワールがランナコーン側面から発生しランナコーンの周りを振れ回るような状況において、ホワールがランナコーン内部から発生するようになり、ホワールの上端の移動範囲が小さくなってホワールが安定し、ホワールの振れ回りによる吸出し管の水圧脈動が小さくなる。
【００１２】
また、請求項２に記載の発明は、鉛直の回転軸周りに放射状の羽根を円周方向に複数枚配列し、前記羽根の上方をランナクラウンで覆い、前記羽根の下方にランナバンドを配置した水力機械のランナにおいて、前記ランナクラウンの下面は中央に向かって次第に下がっていて、その中央部に開口が設けられ、この開口に沿って前記ランナクラウンの下面に環状のランナコーンが設けられ、前記開口内で前記回転軸に沿って下方に延びる円柱状突起物が設けられており、前記突起物の下端はランナコーンの底面よりも上方にあって、前記突起物の半径をＲｂとし、前記ランナコーンの底面の半径をＲｃとするときに、  ０．２５≦Ｒｂ／Ｒｃ＜０．７５  の条件を満たすこと、を特徴とする。
【００１３】
請求項２に記載の発明によれば、ランナコーン底面から発生するホワールが、突起物の下端面に上端を持つようになり、ホワールの上端部が突起物先端断面内で安定して動くようになり、ホワール上端の移動範囲が小さくなり、ホワールの振れ回りが小さくなり、吸出し管での水圧脈動が低減する。
【００１４】
また、請求項３に記載の発明は、鉛直の回転軸周りに放射状の羽根を円周方向に複数枚配列し、前記羽根の上方をランナクラウンで覆い、前記羽根の下方にランナバンドを配置した水力機械のランナにおいて、前記ランナクラウンの下面は中央に向かって次第に下がっていて、その中央部に開口が設けられ、この開口に沿って前記ランナクラウンの下面に環状のランナコーンが設けられ、前記開口内で前記回転軸に沿って下方に延びる円柱状突起物が設けられており、この円柱状突起物の下端が前記ランナコーンの底面より下方に突出していること、を特徴とする。
【００１５】
請求項３に記載の発明によれば、ホワールがランナコーン面より下に離れて発生する場合、ランナコーンより下に位置する突起物の下面からホワールが発生し、突起物の下面内で安定してホワールが動くことになり、ホワールの挙動が安定し、吸出し管の水圧脈動が低減する。
【００１６】
また、請求項４に記載の発明は、請求項２または３に記載の水力機械のランナにおいて、前記円柱状突起物は下方ほど細くなるような少なくとも一つの段部を有すること、を特徴とする。
【００１７】
請求項４に記載の発明によれば、請求項２または３に記載の発明の作用・効果を得られるほか、ホワールの上端が太くなるような運転状態においては突起物の断面が大きなところでホワールが安定し、ホワールの上端が小さくなるような運転状態では突起物の断面が小さなところで安定することになり、広い運転範囲で水圧脈動が小さくなる。
【００１８】
また、請求項５に記載の発明は、請求項２または３に記載の水力機械のランナにおいて、前記円柱状突起物の下端面に窪みが形成されていること、を特徴とする。
【００１９】
請求項５に記載の発明によれば、請求項２または３に記載の発明の作用・効果を得られるほか、ホワールの上端が太くなるような運転状態では突起物の外周部分で安定し、ホワールの上端が小さくなるような運転状態の場合は突起物の窪みの中にホワールの先端が入り込むことによって、窪みの中でホワールが安定して動く。このことにより、広い運転範囲で水圧脈動が小さくなる。
【００２０】
また、請求項６に記載の発明は、鉛直の回転軸周りに放射状の羽根を円周方向に複数枚配列し、前記羽根の上方をランナクラウンで覆い、前記羽根の下方にランナバンドを配置した水力機械のランナにおいて、前記ランナクラウンの下面は中央に向かって次第に下がっていて、その中央部に開口が設けられ、この開口に沿って前記ランナクラウンの下面に環状のランナコーンが設けられ、前記開口内で前記回転軸と水平方向にずれた位置で下方に延びる突起物が設けられていること、を特徴とする。
請求項６に記載の発明によれば、偏芯した突起物の回転により、ホワールを上端部で拡散することになり、ホワールの発達を防ぐことが可能となり、水圧脈動が低減する。
【００２１】
また、請求項７に記載の発明は、請求項１〜請求項６に記載のランナを有する水力機械であることを特徴とする。
請求項７に記載の発明によれば、ホワールによる水圧脈動、騒音、振動等の発生を抑制しうる水力機械を得ることができる。
【発明の効果】
【００２２】
本発明によれば、水車またはポンプ水車の部分負荷運転時に多く発生するホワールにより引き起こされる水圧脈動、騒音、振動を低減することが可能となる。
【発明を実施するための最良の形態】
【００２３】
以下、本発明を実施するための最良の形態について、図面を参照して説明する。ここで、従来技術とまたは実施の形態相互に、共通もしくは類似の部分には同じ符号を用い、重複説明は省略する。
【００２４】
［第１の実施の形態］
図１および図２を参照して、本発明に係る水力機械のランナの第１の実施の形態を説明する。この実施の形態はフランシス型水車ランナである。図１（ａ）に示すように、ランナコーン５の下面の半径をＲｃとし、ランナクラウン２０側の羽根２４の出口端の半径（ランナ４の鉛直の回転軸２８からの距離）をＲａとする。このとき、
０．６≦Ｒｃ／Ｒａ＜１
の関係になっている。
【００２５】
前述のように、従来の技術では、ランナ４から流出した水は水車の運転状態により様々な挙動を示し、特に回転方向速度成分は、水車最高効率点を境に低落差側および部分負荷領域ではランナ４と同一方向に、また高落差側および過負荷領域では逆回転方向の速度成分を有する。また、この旋回流はランナ４の内径側から外径側まで均一ではないため、吸出し管８内にアンバランスな流れを引き起こすことになり、ランナコーン５近傍にホワール９が発生する。特に部分負荷で運転されるときにはこのホワールが振れ回り、水圧脈動を増大させる。
【００２６】
図２は、例えば５０％部分負荷運転時のランナコーン５の寸法と水圧脈動との関係の一例を示したものである。この図から、Ｒｃ／Ｒａが大きくなるにつれて脈動が小さくなり、０．６付近より大きな形状で最小値をとることがわかる。このことから、
０．６≦Ｒｃ／Ｒａ＜１
の関係が成り立てばよいことがわかる。
【００２７】
第１の実施の形態によれば、ランナコーン５の下端断面が大きくなり、かつ、下端面は従来のものよりも上方に位置することになり、従来ランナコーン５の側面から延びていたホワール９が、図１（ｂ）に示すように、ランナコーン５の内部の開口２６内から発生するようになり、ホワール９の移動範囲が小さくなり、ホワール９が側面から発生していた場合より安定した挙動を示すようになり、吸出し管８での水圧脈動が減少する。
【００２８】
［第２の実施の形態］
図３および図４を参照して、本発明に係る水力機械のランナの第２の実施の形態を説明する。この実施の形態はフランシス型水車ランナであって、第１の実施の形態（図１）の変形例であり、図１（ａ）に示すのと同様に、ランナコーン５の下面の半径をＲｃとし、ランナクラウン２０側の羽根２４の出口端半径をＲａとするとき、
０．６≦Ｒｃ／Ｒａ＜１
の関係になっている。
【００２９】
この第２の実施の形態では、図３（ａ）に示すように、ランナクラウン２０の中央の開口２６内に、回転軸２８に沿って、円柱状突起物１０が上方から下方に向かって延びている。突起物１０の下端はランナコーン５より上方にある。ここで、円柱状突起物１０の半径をＲｂとし、ランナコーン５の底面の半径をＲｃとする。このとき、
０．２５≦Ｒｂ／Ｒｃ＜０．７５
の関係になっている。
【００３０】
前述のように、従来の技術で図１２（ｂ）のようにホワール９がランナコーン５の下面から延びる場合、ホワール９はランナコーン５の底面内を自由に動き回りホワール上端位置が安定せず、ホワール９全体が大きく振れ回ることになり吸出し管８での水圧脈動が大きくなる。また、ホワール９が吸出し管８に衝突し振動も大きくなる。
【００３１】
図４は、例えば４０％部分負荷運転時における突起物１０の寸法と水圧脈動との関係の一例を示したものである。この図から、突起物１０を設けることにより水圧脈動は減少し、特に、
０．２５≦Ｒｂ／Ｒｃ＜０．７５
の範囲でその効果が顕著になっていることがわかる。
【００３２】
第２の実施の形態によれば、図３（ｂ）に示すように、ランナコーン５の内部の突起物１０により、ランナコーン開口部２６内のホワール９の上端部が突起物１０の下端面に位置することにより、ホワール９の移動する領域が小さくなり、ホワール９の挙動が安定し水圧脈動が小さくなる。
【００３３】
［第３の実施の形態］
図５および図６を参照して、本発明に係る水力機械のランナの第３の実施の形態を説明する。この実施の形態はフランシス型水車ランナであって、第２の実施の形態（図３）の変形例であり、ランナ４のランナコーン５の開口２６内に設けた円柱状突起物１０を有する。第２の実施の形態と同様に、
０．６≦Ｒｃ／Ｒａ＜１
０．２５≦Ｒｂ／Ｒｃ＜０．７５
（図１、図３参照）の関係が成り立っている。
【００３４】
さらにこの実施の形態では、図５（ａ）に示すように、ランナ４の羽根２４の入口部の中央高さを基準として下向きに、円柱状突起物１０の下端部の高さをＬｂとし、ランナコーン５の下端の高さをＬｃとすると、Ｌｃ＜Ｌｂとなっている。すなわち、円柱状突起物１０の下端部がランナコーン５の下端部よりも下方に突出している。
【００３５】
図６は、例えば７０％部分負荷運転時の円柱状突起物１０の長さと水圧脈動の関係を示す一例である。この図から、円柱状突起物１０の下端の位置がランナコーン５の下端面よりも低い位置で水圧脈動の低減効果が最大となることがわかる。
【００３６】
図５（ｂ）に示すように、第３の実施の形態によれば、ホワール９がランナコーン５から離れた位置に上端を持つ場合、ランナコーン５より下方に位置する突起物１０の下面にホワール９の上端が位置することになり、ホワール９が突起物１０の下面で安定し、水圧脈動が低減する。
【００３７】
［第４の実施の形態］
図７を参照して、本発明に係る水力機械のランナの第４の実施の形態を説明する。この実施の形態はフランシス型水車ランナであって、第３の実施の形態（図５）の変形例であり、ランナ４のランナコーン５の開口２６内に設けた円柱状突起物１０を有する。円柱状突起物１０の下端部がランナコーン５の下端部よりも下方に突出している。
【００３８】
この実施の形態では、突起物１０の形状が下方に行くにつれ小さくなるような段部３０を持つ。図７の例では段部３０を１箇所としているが、複数箇所あってもよい。
【００３９】
突起物１０が第３の実施の形態（図５）のような単純な円柱形の場合に、ホワール９の上端が比較的大きくて、突起物１０の下端断面があまり小さいと、ホワール９の中に突起物１０が入り込むため突起物１０の効果が薄らいでしまう。一方、ホワール９が小さくなるような運転領域で、突起物１０の断面積があまり大きいと、ホワール９の移動領域が大きくなってしまう。
【００４０】
この第４の実施の形態によれば、突起物１０の断面積を下方に向かって徐々に小さくすることにより、大きなホワール９が発生する運転領域では、図７（ａ）に示すように、突起物１０の断面積が大きなところでホワール９が安定する。一方、ホワール９が小さくなるような運転領域では、図７（ｂ）に示すように、下方の突起物１０の断面積が小さなところでホワール９が安定するようになる。このことにより、比較的広い運転範囲でホワール９が安定し、吸出し管８での水圧脈動が小さな運転範囲が広がることになる。
【００４１】
［第５の実施の形態］
図８を参照して、本発明に係る水力機械のランナの第５の実施の形態を説明する。この実施の形態はフランシス型水車ランナであって、第２の実施の形態（図３）の変形例であり、ランナ４のランナコーン５の開口２６内に設けた円柱状突起物１０を有する。円柱状突起物１０の下端部はランナコーン５の下端部よりも上方にあって、下方に突出していない。
【００４２】
この実施の形態では、突起物１０の下端部に窪み３２が設けられている。窪み３２は、例えば下から見て円形（図示せず）の窪みである。この実施の形態によれば、ホワール９の上端が比較的大きな運転状態では、図８（ａ）に示すように突起物１０の先端の断面が大きな位置（突起物下端面全体）でホワール９が安定し、ホワール９が小さくなる運転領域では、図８（ｂ）に示すように突起物１０の先端の窪み３２の中にホワール９の上端が入り込み、窪み３２の中でのみホワール９が動くことになり、ホワール９の挙動が安定し、吸出し管８の水圧脈動が小さくなる。
【００４３】
［第６の実施の形態］
図９を参照して、本発明に係る水力機械のランナの第６の実施の形態を説明する。この実施の形態はフランシス型水車ランナであって、第３の実施の形態（図５）の変形例であり、ランナ４のランナコーン５の開口２６内に設けた突起物１０を有する。突起物１０の下端部はランナコーン５の下端部よりも下方に突出している。
【００４４】
この実施の形態では、突起物１０の中心軸がランナ４の回転軸２８から水平方向にずれた位置にある。また、突起物１０は円柱状に限らない。この実施の形態によれば、ホワールの発達、振れ回りに起因する水圧脈動の増大を、ランナ回転軸２８と軸心の異なる突起物１０がホワールを拡散することにより、ホワールのエネルギーを吸収し、吸出し管８に伝わるエネルギーを小さくすることにより水圧脈動が低減される。
【００４５】
図１０は、横軸を水車出力として、吸出し管８の水圧脈動の変化を示したグラフである。点線Ａに示す従来のランナ形状の場合に比べて、実線Ｂに示す本発明に係るランナの方が、特に部分負荷運転時に水圧脈動が小さいことがわかる。従来のランナ形状では部分負荷運転時にホワールの振れ回り、ホワールの発達により水圧脈動が増大するが、本発明のランナによると、部分負荷運転時のホワールの安定効果により、水圧脈動が従来ランナに比べ小さくなるからである。ただし、ここに示す「本発明のランナ」とは、第４または第５の実施の形態（図７、図８）の典型的な例である。
【図面の簡単な説明】
【００４６】
【図１】本発明に係る水力機械のランナの第１の実施の形態の立断面図であって、（ａ）はランナの構成を示し、（ｂ）はホワールの形成状況を示す。
【図２】図１のランナによる水圧脈動低減効果を示すグラフ。
【図３】本発明に係る水力機械のランナの第２の実施の形態の立断面図であって、（ａ）はランナの構成を示し、（ｂ）はホワールの形成状況を示す。
【図４】図３のランナによる水圧脈動低減効果を示すグラフ。
【図５】本発明に係る水力機械のランナの第３の実施の形態の立断面図であって、（ａ）はランナの構成を示し、（ｂ）はホワールの形成状況を示す。
【図６】図４のランナによる水圧脈動低減効果を示すグラフ。
【図７】本発明に係る水力機械のランナの第４の実施の形態におけるホワールの形成状況を示す立断面図であって、（ａ）はホワールの上端が比較的大きい場合を示し、（ｂ）はホワールの上端が比較的小さい場合を示す。
【図８】本発明に係る水力機械のランナの第５の実施の形態におけるホワールの形成状況を示す立断面図であって、（ａ）はホワールの上端が比較的大きい場合を示し、（ｂ）はホワールの上端が比較的小さい場合を示す。
【図９】本発明に係る水力機械のランナの第６の実施の形態の立断面図。
【図１０】本発明による水圧脈動の低減効果の例を示すグラフ。
【図１１】従来のフランシス型水車の立断面図。
【図１２】従来のフランシス型水力機械におけるランナのホワールの形成状況を示す立断面図であって、（ａ）はホワールの上端がランナコーンの途中にあってホワールが回転する場合を示し、（ｂ）はホワールの上端がランナコーンの下端にあってホワールが横方向に往復する場合を示す。
【符号の説明】
【００４７】
１…ケーシング、２…ステーベーン、３…ガイドベーン、４…ランナ、５…ランナコーン、６…主軸、７…発電機、８…吸出し管、９…ホワール、１０…突起物、２０…ランナクラウン、２２…ランナバンド、２４…羽根、２６…開口、２８…回転軸、３０…段部。
【図１】
2006029227.tif 000003
【図２】
2006029227.tif 000004
【図３】
2006029227.tif 000005
【図４】
2006029227.tif 000006
【図５】
2006029227.tif 000007
【図６】
2006029227.tif 000008
【図７】
2006029227.tif 000009
【図８】
2006029227.tif 000010
【図９】
2006029227.tif 000011
【図１０】
2006029227.tif 000012
【図１１】
2006029227.tif 000013
【図１２】
2006029227.tif 000014